(57)【要約】本発明は、エレベータシステムに向けられる。エレベータシステムは、かごと、つり合いおもりと、かごとつり合いおもりを接続する少なくとも１つのベルトと、ベルトと係合する表面を有する少なくとも１つのシーブと、を備える。ベルトと接触するシーブの表面の少なくとも一部は、ベルトとシーブ表面の間の相互作用に起因して発生する望ましくない騒音を低減する複数の形状部を有する。
2014502948.tif 000002
【特許請求の範囲】
【請求項１】
エレベータかごと、
つり合いおもりと、
かごとつり合いおもりを接続する少なくとも１つのベルトと、
少なくとも１つのベルトと係合する少なくとも１つの表面を有する少なくとも１つのシーブと、
を備えるエレベータシステムであって、
少なくとも１つの表面の少なくとも一部はその上に、表面と少なくとも１つのベルトの間の相互作用による望ましくない騒音を低減する複数の形状部を有することを特徴とするエレベータシステム。
【請求項２】
複数の形状部は、凹部または凸部の少なくとも一方を備えることを特徴とする請求項１記載のエレベータシステム。
【請求項３】
複数の形状部の被覆率は、約２０％から約８０％の範囲にあることを特徴とする請求項１記載のエレベータシステム。
【請求項４】
複数の形状部はそれらの間に、シーブの中心角で約３°から約５°の範囲にある角度間隔を有することを特徴とする請求項１記載のエレベータシステム。
【請求項５】
複数の形状部は、全て同一であることを特徴とする請求項１記載のエレベータシステム。
【請求項６】
形状部は、ランダムに配置されることを特徴とする請求項１記載のエレベータシステム。
【請求項７】
形状部は、所定のパターンで配置されることを特徴とする請求項１記載のエレベータシステム。
【請求項８】
少なくとも１つのシーブは、ディフレクタシーブであることを特徴とする請求項１記載のエレベータシステム。
【請求項９】
形状部は、表面と少なくとも１つのベルトの間の接触面において圧力分布を生成し、圧力分布は、第１の圧力を有する領域と、第１の圧力より低い第２の圧力を有する領域とを備えることを特徴とする請求項１記載のエレベータシステム。
【請求項１０】
第２の圧力は、第１の圧力の約０％から５０％の範囲にあることを特徴とする請求項９記載のエレベータシステム。
【請求項１１】
少なくとも１つのベルトと相互作用するプーリであって、
少なくとも１つのベルトに係合する表面と、
表面と少なくとも１つのベルトの間の相互作用による望ましくない騒音を低減する手段と、
を備えることを特徴とするプーリ。
【請求項１２】
少なくとも１つのベルトと相互作用するプーリであって、
少なくとも１つのベルトに係合する表面と、
表面上にあり、表面と少なくとも１つのベルトの間の相互作用による望ましくない騒音を低減する複数の形状部と、
を備えることを特徴とするプーリ。
【請求項１３】
プーリは、エレベータシステムのディフレクタシーブであることを特徴とする請求項１１または１２記載のプーリ。
【請求項１４】
複数の形状部は、凹部または凸部の少なくとも一方を備えることを特徴とする請求項１２記載のプーリ。
【請求項１５】
複数の形状部の被覆率は、約２０％から約８０％の範囲にあることを特徴とする請求項１２記載のプーリ。
【請求項１６】
複数の形状部はそれらの間に、プーリの中心角で約３°から約５°の範囲にある角度間隔を有することを特徴とする請求項１２記載のプーリ。
【請求項１７】
複数の形状部は、全て同一であることを特徴とする請求項１２記載のプーリ。
【請求項１８】
形状部は、ランダムに配置されることを特徴とする請求項１２記載のプーリ。
【請求項１９】
形状部は、所定のパターンで配置されることを特徴とする請求項１２記載のプーリ。
【請求項２０】
プーリと少なくとも１つのベルトの間の接触面における望ましくない騒音を低減する方法であって、
少なくとも１つのベルトに係合する少なくとも１つの表面を有するプーリを提供し、
表面に複数の形状部を設ける、
ことを含むことを特徴とする方法。
【請求項２１】
複数の形状部を設けることは、表面に凹部または凸部の少なくとも一方を設けることを含むことを特徴とする請求項２０記載の方法。
【請求項２２】
複数の形状部を設けることは、約２０％から約８０％の範囲にある複数の形状部の被覆率を生成することを特徴とする請求項２０記載の方法。
【請求項２３】
複数の形状部を設けることは、形状部の間に、プーリの中心角で約３°から約５°の範囲にある角度間隔を生成することを特徴とする請求項２０記載の方法。
【請求項２４】
複数の形状部を設けることは、表面に複数の同一の形状部を設けることを含むことを特徴とする請求項２０記載の方法。
【請求項２５】
複数の形状部を設けることは、ランダムな配置を生成することを特徴とする請求項２０記載の方法。
【請求項２６】
複数の形状部を設けることは、所定のパターンを生成することを特徴とする請求項２０記載の方法。
【請求項２７】
シーブを提供することは、エレベータシステムのディフレクタシーブを提供することを含むことを特徴とする請求項２０記載の方法。
【請求項２８】
複数の形状部を設けることは、表面と少なくとも１つのベルトの間の接触面において圧力分布を生成し、圧力分布は、第１の圧力を有する領域と、第１の圧力より低い第２の圧力を有する領域とを備えることを特徴とする請求項２０記載の方法。
【請求項２９】
複数の形状部を設けることは、第１の圧力の約０％から５０％の範囲にある第２の圧力を生成することを特徴とする請求項２８記載の方法。
【発明の詳細な説明】
【技術分野】
【０００１】
本発明は一般に、ベルトがプーリ（プーリをシーブと呼ぶ技術もある）と相互作用するシステムに関する。より詳細には本発明は、ベルトとプーリの間の相互作用が好ましくない騒音を発生し得る吊り上げ装置または動力伝達装置（例えば駆動ベルト）などのシステムに関する。
【背景技術】
【０００２】
エレベータシステムは、上述した吊り下げ装置の一例である。エレベータシステムの中には、エレベータかごおよび／またはつり合いおもりへの吊り下げ力を支持および／または提供するために１つまたは複数のベルトを用いるトラクションエレベータシステムがある。ベルトは、ポリマーなどのジャケットの内部に、スチールワイヤから形成されたコードなどの複数の張力部材を備える。ベルトは、一般に金属から形成された、エレベータシステムの１つまたは複数のシーブの周りを通って、これらの機能を果たす。
【０００３】
これらのエレベータシステムはいくつかの理由で、エレベータ機械によって駆動されるシーブ（駆動シーブおよび／またはトラクションシーブと呼ばれる）とベルトの間の十分なトラクションに依拠する。一つには、十分なトラクションによって、かごおよび／またはつり合いおもりの所望の動きを実現するためにエレベータ機械が駆動シーブを回転させる際にベルトが駆動シーブと共に動くことを保証するためである。二つには、十分なトラクションによって、エレベータかごを所望の位置に維持するために駆動シーブが回転していないときに（例えば、エレベータかごが乗場にいるときに）、ベルトが駆動シーブに対して動かないことを保証するためである。
【０００４】
これらのエレベータシステムはまた、所望の配置でエレベータシステムのさまざまな構成要素の周りにベルトを案内するのを助ける１つまたは複数の他のシーブ（ディフレクタシーブ、アイドラシーブおよび／またはそらせシーブと呼ばれる）を備えることができる。
【０００５】
特定の条件下でベルトはシーブに対して滑ることがある。この滑り条件が好ましくない騒音を発生し得る。好ましくない騒音は、空気を伝わり（例えば昇降路内の空気を通って伝達し）、または構造物を伝わる（例えばエレベータシステムのベルトに沿って他の構成要素へと伝達する）ことができる。
【０００６】
このような騒音を低減または除去するためにさまざまな方法が提案されてきた。これらの努力の大部分はベルトに集中してきた。例示的な方法には、異なるジャケット材料を使うこと、ジャケット材料中のワックス含有量を調節すること、あるいは据え付けられたベルトを定期的に調節すること（例えばワックスをジャケットに塗布すること）が含まれる。
【発明の概要】
【課題を解決するための手段】
【０００７】
本発明は、エレベータシステムに向けられる。本発明の一態様によれば、エレベータシステムは、かごと、つり合いおもりと、かごとつり合いおもりを接続する少なくとも１つのベルトと、ベルトと係合する表面を有する少なくとも１つのシーブと、を備える。シーブの表面の少なくとも一部は、表面とベルトの間の相互作用によって発生する望ましくない騒音を低減する複数の形状部を有する。
【０００８】
代替として、または本発明のこの態様または他の態様に加えて、シーブの表面上の複数の形状部は、凹部、凸部、またはこれらの組み合わせから形成される。
【０００９】
代替として、または本発明のこの態様または他の態様に加えて、複数の形状部の被覆率は、２０から８０パーセントの範囲にある。
【００１０】
代替として、または本発明のこの態様または他の態様に加えて、複数の形状部のそれぞれの間の角度間隔は、シーブの中心角で３から５度の範囲にある。
【００１１】
代替として、または本発明のこの態様または他の態様に加えて、シーブの表面上の複数の形状部、具体的には凹部および／または凸部は、同一である。
【００１２】
代替として、または本発明のこの態様または他の態様に加えて、複数の形状部は、ランダムに配置される。
【００１３】
代替として、または本発明のこの態様または他の態様に加えて、複数の形状部は、所定のパターンで配置される。
【００１４】
代替として、または本発明のこの態様または他の態様に加えて、シーブは、エレベータシステム内のディフレクタシーブである。
【００１５】
代替として、または本発明のこの態様または他の態様に加えて、複数の形状部は、シーブの表面とベルトの間の接触面において圧力分布を生成する。圧力分布は、第１の圧力を有する領域と、第２の圧力を有する領域とを備える。第２の圧力は、第１の圧力より低い。
【００１６】
代替として、または本発明のこの態様または他の態様に加えて、第２の圧力の領域は、第１の圧力の０から約５０％の範囲にある。
【００１７】
本発明の別の態様によれば、プーリは、ベルトと係合する表面と、表面とベルトの間の相互作用によって生じる望ましくない騒音を低減する手段とを備える。
【００１８】
本発明の別の態様によれば、プーリは、ベルトと係合する表面と、表面とベルトの間の相互作用から生じる望ましくない騒音を低減する、表面上の複数の形状部とを備える。
【００１９】
代替として、または本発明のこの態様または他の態様に加えて、プーリは、エレベータシステム内のアイドラシーブとも呼ばれるディフレクタシーブである。
【００２０】
本発明の別の態様によれば、プーリとベルトの接触面における望ましくない騒音を低減する方法は、ベルトと係合する少なくとも１つの表面を有するプーリを提供し、表面の複数の形状部を提供する、ことを含む。
【００２１】
代替として、または本発明のこの態様または他の態様に加えて、複数の形状部は、凹部、凸部、またはこれらの組み合わせを備える。
【図面の簡単な説明】
【００２２】
【図１】本発明に従って設計されたシーブを備える例示的なエレベータシステムを示す概略図。
【図２】本発明に従って設計されたシーブの実施例の概略斜視図。
【図３Ａ】シーブ表面の可能な一実施例を示す、図２に示されたシーブの区域の拡大図。
【図３Ｂ】シーブ表面の可能な別の一実施例を示す、図２に示されたシーブの区域の拡大図。
【図３Ｃ】シーブ表面の可能な別の一実施例を示す、図２に示されたシーブの区域の拡大図。
【図３Ｄ】シーブ表面の可能な別の代替の一実施例を示す、図２の線３−３に沿って取られたシーブの断面の一部の拡大図。
【図３Ｅ】シーブ表面の可能な別の代替の一実施例を示す、図２に示されたシーブの区域の拡大図。
【発明を実施するための形態】
【００２３】
図１は、例示的なトラクションエレベータシステム２０の階略図である。本発明に関係しないエレベータシステム２０の構成要素（例えば、ガイドレール、制御装置、安全装置、その他）については説明しない。エレベータシステム２０は、少なくとも１つのベルト１３によって昇降路内で作動的に懸架または支持されているエレベータかご１１を備える。エレベータシステム２０内で使用されるベルト１３の数は、本発明とは関係のない要因によって決定される。１つまたは複数のベルト１３が、作動中にエレベータシステム２０のつり合いを保つとともにトラクションシーブ１５（駆動シーブとも呼ばれる）の両側でベルトの張力を維持するのを助けるつり合いおもり１２に接続されることも可能である。
【００２４】
機械１４がトラクションシーブ１５を回転させる。ベルト１３がトラクションシーブ１５に係合するので、トラクションシーブ１５が回転すると、ベルト１３が動き、従って、エレベータかご１１およびつり合いおもり１２が動く。
【００２５】
図１のエレベータシステム２０の概略図は、複数のディフレクタシーブ１６、１７、１８（アイドラシーブまたはそらせシーブとも呼ばれる）を備える。ディフレクタシーブは、かご１１と関連し（すなわちディフレクタシーブ１６、１７）、つり合いおもり１２と関連し（すなわちディフレクタシーブ１８）、または機械１４または機械１４の取り付け構造（図示せず）と関連することができる。ディフレクタシーブ１６、１７、１８は、エレベータシステム２０の作動時にベルト１３を案内または誘導する。図１は、ディフレクタシーブ１６、１７がかご１１の上に配置されているオーバスラング構成を示しているとはいえ、本発明は、ディフレクタシーブ１６、１７がかご１１の下に配置されているアンダスラング構成などの他の構成と共に使用することもできる。同様に図１は、２：１ローピング構成を示しているとはいえ、本発明は、他のローピング構成と共に使用することもできる。ディフレクタシーブ１６、１７、１８は一般に、これらのシーブとベルト１３との間にトラクションを必要とせずにベルト１３を案内するように作動する。
【００２６】
図２は、エレベータシステム内の１つまたは複数のベルト１３と接触するいずれか１つまたは複数のシーブを示す実施例のシーブ１９を示している。すなわちシーブ１９は、ディフレクタシーブ１６、１７、１８および／またはトラクションシーブ１５とすることができる。シーブ１９は、１つまたは複数のベルト１３と係合する１つまたは複数の表面２１を備える。シーブ１９は、エレベータシステム内のベルトの数と同じかそれより多い数の表面２１を有することができるか、または、複数のベルト１３に係合する１つまたは複数の表面２１を有することができる。シーブ１９は、約５０ｍｍから約２５０ｍｍの範囲にある直径を有することができる。
【００２７】
図２は、概略のフラットベルト１３に係合するクラウンシーブ表面２１有するシーブ１９を示す。しかしながら本発明は、他の種類のフラットベルト１３に係合可能な他の種類のシーブ１９と共に使用することもできる。例えば、シーブ１９は、別の案内手段が使用される場合は、平坦な断面を有することができる。代替としてシーブ１９は、いわゆる「ポリＶ（ｐｏｌｙ−Ｖ）」ベルト１３のリブに適応するようにシーブ表面２１に周方向溝を有することができる。
【００２８】
シーブ１９は、シーブ表面２１上に幾何学的形状部の構成を備える。一代替例では、形状部は、シーブ表面２１の全周に配置され（周方向はシーブ１９の回転方向でもある）、ジャケットがシーブを通過する際にジャケット材料内のひずみエネルギーの局所的緩和を可能としまたは許容する。軸方向では（すなわちシーブ１９の長さに沿って）、形状部は、シーブ表面２１全体またはシーブ表面２１の一部のみに配置されることができる。一代替例では、形状部は、エレベータシステム２０の作動中にベルト１３が接触し得るシーブ表面２１の部分に配置されることができる。すなわち形状部は、エレベータシステム２０の作動中にベルト１３と接触しないシーブ表面２１の部分に付与される必要はない。
【００２９】
一般的に言えば、シーブ１９上の形状部は、ベルト１３とシーブ１９の間の相互作用に影響を及ぼすように設計および／または構成される。シーブ１９上の形状部は、ベルト１３とシーブ１９との間の局所的な表面滑りを可能とすることでひずみエネルギー蓄積の影響を軽減するのを助ける。シーブ１９上にこれらの形状部がないと、ベルト１３とシーブ１９の間のずれによって生じるひずみエネルギーの蓄積によって、スティックスリップ動きが生じ、これは、ベルト１３の長さに沿って長手方向に伝達しかつエレベータシステム２０を通って伝播する衝撃の生成による構造物を伝わる騒音、および／または空気を伝わる騒音を発生し得る。
【００３０】
シーブ１９上の形状部は、凹部および／または凸部２２とすることができる。すなわちシーブ１９は、凹部全て、凸部全て、または凹部および凸部の組み合わせを有することができる。凹部／凸部２２は、限定される訳ではないが、以下の円形、楕円形、三角形、四角形、六角形、および台形、直線、および波線のいずれかを個別にまたは組み合わせて含む任意の適切な形状を有することができる。凹部／凸部２２は、シーブ１９上の１つまたは複数の他の凹部／凸部２２と同一であるか、シーブ１９上の１つまたは複数の他の凹部／凸部２２と同じ形状（しかし異なる大きさ）を有するか、あるいは、シーブ１９上の他の凹部／凸部２２とは異なる形状を有する。
【００３１】
シーブ１９上の形状部は、図３Ａに示される実施例の直線的な可能性または曲線的配置（例えばらせん形）などの規則的パターンで配置されることができる。代替として形状部は、不規則パターン、すなわち図３Ｂに示される一実施例の可能性などの不均一および／または非対称なパターンで配置されることができる。なおさらなる代替として、不規則パターンは、図３Ｃに示される一実施例の可能性などのランダムなパターンとすることができる。
【００３２】
シーブ１９上の形状部は、図３Ａ、図３Ｂ、図３Ｃの実施例の配置などのように離散的になるようにすることができる。すなわち形状部は、シーブ１９の周方向および軸方向に不連続となるように離間させることができる。代替としてシーブ１９上の形状部は、シーブ１９の周方向および／または軸方向に連続となるようにすることができる。図３Ｄ、図３Ｅは、この代替例の２つの可能な配置を示している。図３Ｄでは、シーブ１９は、連続的な波形のシーブ表面２１を形成するように凸部（ｐｒｏｊｅｃｔｉｏｎ）２２ｐにすぐ隣接して凹部（ｉｎｄｅｎｔａｔｉｏｎ）２２ｉを備える。図３Ｅでは、凹部／凸部２２は、シーブ１９の周方向に連続している（すなわち凹部／凸部はここでは溝／リブ２２である）。溝／リブ２２は代替として、シーブ１９の軸方向に連続することもできる。いずれにしても、溝／リブ２２は、直線的である必要はなく、溝／リブ２２は、曲線的（例えば波形）とすることができる。以下においてより明確になるように、図３Ｅを参照して説明したもののような溝は、案内のためおよび／またはトラクションを与えるためにベルト（またはポリＶ型ベルトのリブなどのベルトの形状部）を受けることを意図していない。
【００３３】
さまざまな技術が、凹部／凸部２２をシーブ１９に設けるために（個別にまたは組み合わせて）使用されることができる。例えば機械的技術（例えば機械加工、ピーニング）および／または化学的技術（例えばエッチング）が、シーブ表面２１に凹部および／または凸部を形成するために使用されることができる。
【００３４】
ひずみエネルギーの局所的緩和を可能とするために凹部／凸部２２をシーブ１９に設ける別の代替のまたは付加的な技術には、接着テープまたはリングなどの第２の材料をシーブ表面２１の全部または一部に亘って配置することが含まれる。１つの可能性では、例えばポリテトラフルロエチレン（ｐｏｌｙｔｅｔｒａｆｌｕｒｏｅｔｈｙｌｅｎｅ）などの低摩擦材料から形成された別個の断片が、シーブ表面２１に付与される（すなわち凸部を形成する）。（ステンシルテンプレートに類似した）別の可能性では、開口部を有するテープが、シーブ表面２１に付与される。さらなる別の可能性では、凹部および凸部両方を有するテープが、シーブ表面２１に付与される。別の可能性では、塗料が、凸部２２のパターンを生成するようにマスクを用いてシーブ表面２１に付与される。
【００３５】
シーブ１９の形状部は、さまざまな属性（例えば深さ／高さ、長さ、幅、間隔、その他）を有することができる。これらの属性は、他の属性に、直接的に依存し（例えば円形凹部の幅は長さと等しくなり）あるいは間接的に依存する（例えば凹部の深さは凹部の長さ／幅によって制限され得る）ことができ、また、エレベータシステムの他の態様（例えば巻き付け角、ベルトジャケット材料、ローピング構成、エレベータ荷重、ベルト速度、その他）に依存することができる。これらの他のエレベータシステム態様を考慮して、形状部のさまざまな属性が、ベルト１３とシーブ１９の間の相互作用に所望の効果をもたらすように選択される。すなわち形状部のこれらのさまざまな属性は、ベルト１３とシーブ１９の間の相互作用における望ましくない騒音を低減するように選択される。
【００３６】
一実施では、凹部２２の深さは、ベルト１３がエレベータシステムの作動中に凹部２２の表面に接触しないように十分なものとする必要がある。すなわち間隙がベルト１３と凹部の間に存在する必要がある。一例として、熱可塑性ポリウレタンジャケットを有する幅３０ｍｍのベルトに係合する直径１５０ｍｍのシーブは、約３０μｍ（ミクロン）より大きな深さを有する凹部２２を有することができる。代替として、凹部の表面との接触は、局所的滑りを防止し従って緩和を可能とするのに局所的圧力が十分でない場合に生じる可能性がある。
【００３７】
凸部２２の高さは、エレベータシステムの作動中にひずみエネルギーの緩和を可能とするようにベルト１３の隣接区域をシーブ表面から持ち上げるのに十分である必要がある。代替として、凸部２２に隣接するこれらの区域における接触圧力は、衝撃の生成を抑えるために局所的滑りおよび緩和がひずみエネルギーを散逸させるように十分低い必要がある。一例として、熱可塑性ポリウレタンジャケットを有する幅３０ｍｍのベルトに係合する直径１００ｍｍのシーブは、２０〜１００ミクロンの高さを有する凸部２２を有することができる。一実施例では、高さは、約２０〜３０ミクロンの範囲とすることができる。
【００３８】
凹部／凸部２２の幅ｗ（図３Ａ参照）は、凹部／凸部２２がベルト１３とシーブ１９の間の相互作用を変更するような最小の値を有する必要がある。凹部／凸部２２の幅ｗはまた、例えば幅ｗに対するさらなる漸増変化がもはやベルト１３とシーブ１９の間の相互作用に影響を与えない点においてまたは凹部／凸部２２がエレベータシステムに否定的な影響（例えば、ベルト摩耗の増加、音響騒音の付加、その他）を与え始める点において、最大の値を有する必要がある。一例として、熱可塑性ポリウレタンジャケットを有する幅３０ｍｍのベルトに係合する直径１００ｍｍ直径のシーブは、約１ｍｍから約２ｍｍの範囲にある最小の幅ｗと、約５ｍｍから約６ｍｍの範囲にある最大の幅ｗとを備える凹部２２を有することができる。
【００３９】
同様に、凹部／凸部２２の長さｌ（図３Ａ参照）は、凹部／凸部２２がベルト１３とシーブ１９の間の相互作用を変更するような最小の値を有する必要がある。凹部／凸部２２の長さｌはまた、例えば長さｌに対するさらなる漸増変化がもはやベルト１３とシーブ１９の間の相互作用に影響を与えない点においてまたは凹部／凸部２２がエレベータシステムに否定的な影響（例えば、ベルト摩耗の増加、音響騒音の付加、その他）を与え始める点において、最大の値を有する必要がある。一例として、熱可塑性ポリウレタンジャケットを有する幅３０ｍｍのベルトに係合する直径１００ｍｍのシーブは、約１ｍｍから約２ｍｍの範囲にある最小の長さｌと、約５ｍｍから６ｍｍの範囲にある最大の長さｌとを備える凹部２２を有することができる。
【００４０】
凹部／凸部２２の間隔は、いくつかの仕方で記載することができる。間隔を記載する第１の可能性は、隣接する凹部／凸部２２間の距離を用いることである。一例として、熱可塑性ポリウレタンジャケットを有する幅３０ｍｍのベルトに係合し、２．５ｍｍの円形の凹部／凸部２２を有する直径１００ｍｍのシーブは、隣接する凹部／凸部２２の中心間で約２．５ｍｍから約７．５ｍｍの範囲にある軸方向の間隔Ｓａ（図３Ａ参照）と、隣接する凹部／凸部２２の中心間で約２．５ｍｍから約７．５ｍｍの範囲にある周方向の間隔Ｓｃ（図３Ａ参照）とを有することができる。凹部／凸部２２の軸方向の間隔は、凹部／凸部２２の周方向の間隔と異なるか、または同じにすることができる。間隔を記載するこの第１の可能性は、例えば図３Ａに示される実施例の配置などの規則的パターンの形状部で適することができる。
【００４１】
間隔を記載する第２の可能性は、角距離を用いることである。一例として、熱可塑性ポリウレタンジャケットを有する幅３０ｍｍのベルトに係合する直径１００ｍｍのディフレクタシーブは、シーブ１９の中心角で約３°から約５°の範囲にあるシーブ１９の周囲に沿った凹部／凸部２２間の角度間隔を有することができる。これは、例えば約９０°の巻き付け角を有するシーブ（例えば図１のディフレクタシーブ１６、１７）で、ベルト１３が、任意の与えられた時間にシーブ１９の周囲に沿って約１８個から約３０個の形状部と接触することができることを意味する。約１８０°の巻き付け角を有するシーブ（例えば図１のディフレクタシーブ１８またはトラクションシーブ１５）では、ベルト１３は、任意の与えられた時間にシーブ１９の周囲に沿って約３６個から約６０個の形状部と接触することができる。
【００４２】
間隔を記載する第３の可能性は、凹部／凸部２２の被覆率を用いることである。「被覆率」という語句は、凹部／凸部２２の投影領域の、そのような凹部／凸部２２を受けるシーブ表面２１の領域全体（使用される特定の代替例に応じて、シーブ表面２１全体、１つまたは複数の接触領域、または複数の接触領域のうちの１つのほんの一部分とすることができる）に対する割合を意味する。一例として、熱可塑性ポリウレタンジャケットを有する幅３０ｍｍのベルトに係合する直径１００ｍｍのシーブは、約２０％から約８０％の範囲にある被覆率を有することができる。この実施例の一代替例では、被覆率は約５０％とすることができる。間隔を記載するこの第３の可能性は、例えば図３Ｂ、図３Ｃ、図３Ｄに示される実施例の配置などの不規則パターン（例えば不均一、非対称および／またはランダム）で適することができる。
【００４３】
上述したように、シーブ１９上の形状部は、ベルト１３とシーブ１９の間の相互作用に影響を及ぼす。ベルト１３とシーブ１９の間の相互作用において、形状部は、より低い圧力領域と、より高い圧力領域とを形成する。「より低い」圧力と「より高い」圧力との差は、ベルト１３とシーブ１９の間の相互作用に所望のおよび／または顕著な効果をもたらすのに十分に有意なものとする必要がある。一例として、「より低い」圧力は、「より高い」圧力の約０％から約５０％の範囲とすることができる。
【００４４】
この圧力分布は、複数の位置において（すなわちより低い圧力領域とより高い圧力領域の間の境界において）ベルト１３とシーブ１９の間の滑りによって生じるひずみエネルギーを散逸させる。ここではひずみエネルギーの散逸は複数の位置で生じるので、ひずみエネルギーの蓄積は少なくなる。これによって、ベルト１３の長さに沿って長手方向に伝達してエレベータシステム２０を通って伝播する衝撃は（存在するとしても）小さくなるので、構造物を伝わる騒音、および／または空気を伝わる騒音は小さくなる。一例として、熱可塑性ポリウレタンジャケットを有する幅３０ｍｍのベルトに係合し、２．５ｍｍの円形の凹部／凸部２２を有する直径１００ｍｍのシーブは、衝撃の振幅を約８０％低減し、騒音を約１２ｄＢ低減することができる。
【００４５】
本発明は、その特定の実施例に関連して説明したとはいえ、当業者には、多くの他の変形例、修正例や他の使用が明らかとなるであろう。従って、本願の特定の開示によってただ限定されるが、添付の特許請求の範囲によってのみ限定される。
【図１】
2014502948.tif 000003
【図２】
2014502948.tif 000004
【図３Ａ】
2014502948.tif 000005
【図３Ｂ】
2014502948.tif 000006
【図３Ｃ】
2014502948.tif 000007
【図３Ｄ】
2014502948.tif 000008
【図３Ｅ】
2014502948.tif 000009
【国際調査報告】
2014502948.tif 000010
2014502948.tif 000011